(57)【要約】【課題】善良な利用者には、各種情報、娯楽性の高い映像を表示し、不審者には、心理的に圧迫感を与える映像を表示するシステムを安価かつ簡単にを提供することを課題とする。【解決手段】監視カメラの設置場所を往来する特定の人物の顔データを蓄積し、監視カメラで撮像された映像データから被監視者の顔を認識し、認識された顔データと前記蓄積されている顔データとの一致の有無を照合し、一致する顔データの有無により、監視度を演算して判定し、判定結果により、撮像された映像の加工の種類を選択して加工処理し、加工処理された映像を監視者用モニタに配信する監視サーバを有し、この配信映像を前記監視カメラから被監視者を撮像可能な場所に設置され、この被監視者が閲覧可能な被監視者用モニタにも配信する監視システム及び監視方法を提供する。 【選択図】図２
2009027519.tif 000002
【特許請求の範囲】
【請求項１】
所定の場所に設置して映像を撮像する監視カメラと、監視者が閲覧可能な場所に設置し、前記撮像された映像を表示する監視者用モニタとを有する監視システムであって、
前記監視カメラで撮像された映像データの受信手段と、この映像データから被監視者の顔の認識処理手段と、前記監視カメラの設置場所を往来する特定の人物の顔データを蓄積する蓄積手段と、前記認識処理手段によって認識された顔データと前記蓄積手段に蓄積されている顔データとの一致の有無を照合する照合手段と、一致する顔データの有無により、監視度を演算する判定手段と、判定手段の判定結果に応じて、前記撮像された映像の加工の種類を選択し、加工処理する映像加工処理手段と、加工処理された映像をもとに配信用の映像を生成する配信映像生成手段と、この生成された配信映像を前記監視者用モニタに配信するとともに、前記監視カメラから被監視者を撮像可能な場所に設置され、この被監視者が閲覧可能な被監視者用モニタにも前記配信映像を配信する配信手段とを有する監視サーバを有することを特徴とする監視システム。
【請求項２】
前記監視者用モニタは、前記加工処理される前の映像も表示し、前記監視サーバは、この加工処理前の映像を過去ログデータとして格納する過去ログデータ格納手段を有することを特徴とする請求項１記載の監視システム。
【請求項３】
前記認識処理手段は、前記映像データから読取可能なバイオメトリクス情報を利用した顔検出手段を有することを特徴とする請求項１または請求項２記載の監視システム。
【請求項４】
前記被監視者用モニタは、表示する映像を切り替えるコンテンツ切換操作手段を有し、被監視者がコンテンツ切換え操作手段により所望のコンテンツの表示を要求すると、前記認識処理手段が起動するとともに、前記監視サーバは、インターネット網、ＬＡＮ網、有線放送網等外部ネットワーク網を介して受信するコンテンツデータまたは監視サーバ内で記憶されているコンテンツデータを前記配信映像生成手段に転送するコンテンツ処理手段を有し、この配信映像生成手段では、前記加工処理された映像とともにコンテンツデータも配信映像として生成することを特徴とする請求項１から請求項３までのいずれかに記載の監視システム。
【請求項５】
前記蓄積手段は、前記被監視者の顔データに対応させてこの被監視者の過去データを蓄積し、前記判定手段は、前記照合手段により、前記認識された顔データと前記蓄積されている顔データとの一致の有無及び一致した場合には前記過去データの内容に応じて、予め設定された少なくとも２段階の監視度レベルを判定するように構成されたものであることを特徴とする請求項１から請求項４までのいずれかに記載の監視システム。
【請求項６】
前記監視サーバは、起動と同時に、前記認識処理手段で被監視者の顔を認識しない状態のときは、前記配信映像生成手段で生成した待ち受け映像を被監視者用モニタに配信することを特徴とする請求項１から請求項５までのいずれかに記載の監視システム。
【請求項７】
前記監視サーバは、前記判定手段の監視度レベルを任意に設定することができるレベル設定手段を有することを特徴とする請求項１から請求項６までのいずれかに記載の監視システム。
【請求項８】
所定の場所に設置した監視カメラで、この場所近傍の映像を撮像し、この撮像した映像を監視者が監視者用モニタで閲覧可能なように表示させる監視方法であって、
前記監視カメラの設置場所が、特定の者のみ通過する場所である場合、被監視者が閲覧可能な被監視者用モニタを前記監視カメラから被監視者を撮像可能な場所に設置するステップと、前記特定の者の顔データと過去の監視度レベルデータとを対応させたデータを予め登録して蓄積するステップと、前記監視カメラで撮像された映像を受信するステップと、撮像された映像データから被監視者の顔を顔データとして認識するステップと、前記認識された顔データと前記蓄積されている顔データとの一致の有無を照合するステップと、一致の有無及び一致した場合に過去の監視度のレベルから予め設定した少なくとも２段階の監視度レベルの判定を行なうステップと、この判定の結果に応じて前記撮像データに対して異なる加工処理を施した映像を生成するステップと、この生成された映像データを前記被監視者用モニタに配信し、表示させるステップとを備えたことを特徴とする監視方法。
【請求項９】
前記監視カメラの設置場所が、不特定の者が通過する場所である場合、被監視者が閲覧可能な被監視者用モニタを前記監視カメラから被監視者を撮像可能な場所に設置するステップと、前記被監視者用モニタを閲覧した者の顔データと過去に閲覧した回数とを対応させたデータを登録して蓄積するステップと、前記監視カメラで撮像された映像を受信するステップと、撮像された映像データから被監視者の顔を顔データとして認識するステップと、前記認識された顔データと前記蓄積されている顔データとの一致の有無を照合するステップと、一致する場合には、閲覧回数を加算して登録し、一致しない場合には、顔データ及び閲覧回数を登録するとともに、一致の有無、さらに、一致した場合には過去に閲覧した回数に応じて少なくとも２段階の監視度レベルの判定を行なうステップと、この判定の結果に応じて前記撮像データに対して異なる加工処理を施した映像を生成するステップと、この生成された映像データを前記被監視者用モニタに配信し、表示させるステップとを備えたことを特徴とする監視方法。
【発明の詳細な説明】
【技術分野】
【０００１】
本発明は、所定の場所に設置して映像を撮像する監視カメラと、監視者が閲覧可能な場所に設置し、前記撮像された映像を表示する監視者用モニタとを有する監視システム及び監視方法に関する。
【背景技術】
【０００２】
近年、建物、施設の大型化、あるいは情報技術の発達に伴い不審者の侵入を牽制する監視システムの導入が重要視されている。
【０００３】
たとえば、エレベータの防犯を目的として、防犯カメラで撮影される映像から顔画像を抽出したか否かを判断し、抽出された場合には、行き先階登録許可信号を発生し、エレベータ制御盤は、この信号を受けた場合、行き先階登録処理を行なうエレベータ防犯システムが提案されている（例えば、特許文献１参照）。
【０００４】
通常、監視カメラは、エレベータの天井付近に設置され、一方、エレベータ乗降の際、利用者は、足元を見るため、上記顔画像の抽出がスムーズにいかない場合がある。そこで、上記従来技術によれば、利用者に対して前記防犯カメラに顔を向けさせるようなメッセージを発生させる音声信号発生器を設けている。
【特許文献１】特開２００５−２５５２７４（請求項５の記載、６ページの記載）
【発明の開示】
【発明が解決しようとする課題】
【０００５】
しかし、防犯機能ひいては監視機能を優先させてシステムを構築すると、不審者以外の善良な利用者に対しても、監視システムを顕在化させ、監視されていることを認識させるため、違和感、嫌悪感を与えるという不都合があった。
【０００６】
特に、来訪者を歓迎する施設などでは、このような監視システムを設けると印象が悪くなり、マイナス効果を与える可能性があった。
【０００７】
また、監視カメラを使わずに高度のセキュリティをはかるためには、建物内に出入りする者にＩＤカードを付与し、建物内の随所にＩＤカードのリーダを設置する方法も考えられるが、設置コストと設置作業負担が増大するという問題があった。
【０００８】
ところで、近年、ワークスペース、パブリックスペース、ホテル、大型ビル内のエントランスなどに、情報配信用のモニタが設置され、ユビキタス環境が整備されてきている。このモニタには、各種情報や娯楽性の高い映像を表示することが多いが、このモニタを利用して、監視カメラで撮影した映像を表示すれば、比較的安価にセキュリティをはかることができる。
【０００９】
しかし、上記善良な利用者にとっては、自分の映像が表示されることにより、上記嫌悪感、忌避感に拍車がかかるおそれがあった。
【００１０】
そこで、本発明は、上記問題点に鑑み、被監視者を善良な利用者と不審者に分けて、上記モニタで、善良な利用者には、各種情報、娯楽性の高い映像を表示し、不審者には、心理的に圧迫感を与える映像を表示するシステムを安価かつ簡単に提供することを課題とする。
【課題を解決するための手段】
【００１１】
上記課題を解決するため、本発明にかかる監視システムは、所定の場所に設置して映像を撮像する監視カメラと、監視者が閲覧可能な場所に設置し、前記撮像された映像を表示する監視者用モニタとを有する監視システムであって、前記監視カメラで撮像された映像データの受信手段と、この映像データから被監視者の顔の認識処理手段と、前記監視カメラの設置場所を往来する特定の人物の顔データを蓄積する蓄積手段と、前記認識処理手段によって認識された顔データと前記蓄積手段に蓄積されている顔データとの一致の有無を照合する照合手段と、一致する顔データの有無により、監視度を演算する判定手段と、判定手段の判定結果に応じて、前記撮像された映像の加工の種類を選択し、加工処理する映像加工処理手段と、加工処理された映像をもとに配信用の映像を生成する配信映像生成手段と、この生成された配信映像を前記監視者用モニタに配信するとともに、前記監視カメラから被監視者を撮像可能な場所に設置され、この被監視者が閲覧可能な被監視者用モニタにも前記配信映像を配信する配信手段とを有する監視サーバを有することを特徴とする。
【００１２】
この構成によれば、予め特定人物の顔データと監視カメラで撮像された映像から認識される顔データとの比較により監視度を決定し、映像の加工の種類を変更するので、被監視者の監視度レベルに応じて、被監視者用モニタの映像を変更することができる。
【００１３】
前記監視者用モニタは、前記加工処理される前の映像も表示し、前記監視サーバは、この加工処理前の映像を過去ログデータとして格納する過去ログデータ格納手段を有するようにしてもよい。
【００１４】
前記認識処理手段は、前記映像データから読取可能なバイオメトリクス情報を利用した顔検出手段を有していてもよい。
【００１５】
前記被監視者用モニタは、表示する映像を切り替えるコンテンツ切換操作手段を有し、被監視者がコンテンツ切換え操作手段により所望のコンテンツの表示を要求すると、前記認識処理手段が起動するとともに、前記監視サーバは、インターネット網、ＬＡＮ網、有線放送網等外部ネットワーク網を介して受信するコンテンツデータまたは監視サーバ内で記憶されているコンテンツデータを前記配信映像生成手段に転送するコンテンツ処理手段を有し、この配信映像生成手段では、前記加工処理された映像とともにコンテンツデータも配信映像として生成するようにしてもよい。
【００１６】
この場合、被監視者用モニタは、1台の場合は、マルチ画面（画面分割）にして各々加工処理された映像とコンテンツ映像を表示してもよく、また、複数台の場合には、各被監視者用モニタに対して各々異なる映像を表示してもよい。
【００１７】
前記蓄積手段は、前記被監視者の顔データに対応させてこの被監視者の過去データを蓄積し、前記判定手段は、前記照合手段により、前記認識された顔データと前記蓄積されている顔データとの一致の有無及び一致した場合には前記過去データの内容に応じて、予め設定された少なくとも２段階の監視度レベルを判定するようにしてもよい。
【００１８】
ここで「過去データ」とは、たとえば、過去に所定の段階以上の監視度レベルで監視されたことがあるという履歴や、過去に同じ被監視者用モニタを何回閲覧したかという閲覧累積回数などである。
【００１９】
前記監視サーバは、起動と同時に、前記認識処理手段で被監視者の顔を認識しない状態のときは、前記配信映像生成手段で生成した待ち受け映像を被監視者用モニタに配信するようにしてもよい。
【００２０】
前記監視サーバは、前記判定手段の監視度レベルを任意に設定することができるレベル設定手段を有するようにしてもよい。
【００２１】
上記課題を解決するため、本発明にかかる監視方法は、所定の場所に設置した監視カメラで、この場所近傍の映像を撮像し、この撮像した映像を監視者が監視者用モニタで閲覧可能なように表示させる監視方法であって、前記監視カメラの設置場所が、特定の者のみ通過する場所である場合、被監視者が閲覧可能な被監視者用モニタを前記監視カメラから被監視者を撮像可能な場所に設置するステップと、前記特定の者の顔データと過去の監視度レベルデータとを対応させたデータを予め登録して蓄積するステップと、前記監視カメラで撮像された映像を受信するステップと、撮像された映像データから被監視者の顔を顔データとして認識するステップと、前記認識された顔データと前記蓄積されている顔データとの一致の有無を照合するステップと、一致の有無及び一致した場合に過去の監視度のレベルから予め設定した少なくとも２段階の監視度レベルの判定を行なうステップと、この判定の結果に応じて前記撮像データに対して異なる加工処理を施した映像を生成するステップと、この生成された映像データを前記被監視者用モニタに配信し、表示させるステップとを備えたことを特徴とする。
【００２２】
この方法によれば、特定の者のみ通過する場所、たとえば、会社内の通路のように一般的に従業員のみが通るような場所において、無許可の者や過去に監視されるべき行動をとったことがある者が出入りすれば、直ちに監視レベルを上げることができる。
【００２３】
また、別の性質を有する場所、例えばパブリックスペースなど、前記監視カメラの設置場所が、不特定の者が通過する場所である場合、被監視者が閲覧可能な被監視者用モニタを前記監視カメラから被監視者を撮像可能な場所に設置するステップと、前記被監視者用モニタを閲覧した者の顔データと過去に閲覧した回数とを対応させたデータを登録して蓄積するステップと、前記監視カメラで撮像された映像を受信するステップと、撮像された映像データから被監視者の顔を顔データとして認識するステップと、前記認識された顔データと前記蓄積されている顔データとの一致の有無を照合するステップと、一致する場合には、閲覧回数を加算して登録し、一致しない場合には、顔データ及び閲覧回数を登録するとともに、一致の有無、さらに、一致した場合には過去に閲覧した回数に応じて少なくとも２段階の監視度レベルの判定を行なうステップと、この判定の結果に応じて前記撮像データに対して異なる加工処理を施した映像を生成するステップと、この生成された映像データを前記被監視者用モニタに配信し、表示させるステップとを備えた方法にすればよい。
【発明の効果】
【００２４】
以上の説明から明らかなように、本発明にかかる監視システム及び監視方法は、被監視者を善良な利用者と不審者に分けて、上記モニタで、善良な利用者には、各種情報、娯楽性の高い映像を表示し、不審者には、心理的に圧迫感を与える映像を表示するという背反する処理を両立させることにより、善良な利用者にとっては、快適かつ有用な情報を提供し、ユビキタス環境の整備、利用促進をはかることができ、不審者に対しては、監視体制が整備されていることを知らしめることができるという効果を奏する。  また、既存のモニタを利用することにより、安価かつ簡単にシステムを設置することができるという効果を奏する。
【発明を実施するための最良の形態】
【００２５】
図１は、本発明にかかる監視システムのハードウェア構成図である。１は、監視サーバシステムである。監視サーバシステム１は、監視サーバ１１と監視者用モニタ１３と入力装置１４と認識情報データベースサーバ１２とから構成されている。ただし、認識情報データベースサーバ１２は、監視サーバ１１内に設置するものであってもよい。
【００２６】
監視者用モニタ１３は、適宜監視ポイントに設置された監視カメラ２で撮像された被監視者の映像を表示する。
【００２７】
なお、本実施の形態では、監視カメラ２を３つ設置するもの示したが、設置環境に応じて監視カメラ２の数は、単数、複数、いずれでもよく、また、一箇所に複数設置するマルチモニタ、一つのモニタを複数の画面に分割するマルチ画面のモニタであってもよい。
【００２８】
また、監視カメラ２で撮像された被監視者の映像は、監視サーバ１１で、顔データとして認識され、この認識情報と予め認識情報データベースサーバ１２に蓄積された顔データとを照合し、監視度レベルを判定し、判定結果に応じた加工映像を被監視者用モニタ３に配信する。
【００２９】
この被監視者用モニタ３は、上記配置された各監視カメラ２と同じ場所に設置されているため、被監視者用モニタ３を閲覧する者の顔は、被監視者を音声その他の手段より、認識できるような手法で誘導しなくても、監視カメラ２で撮像することができる。
【００３０】
また、この被監視者用モニタ３は、上記設置環境内において設置されている各種情報や娯楽性の高い映像を配信する既存のモニタを使用すればよい。
【００３１】
なお、被監視者用モニタ３の設置場所としては、オフィスのエントランス、オフィスのワークスペース、エレベータ内などの建造物内のほか、屋外、地下街、地下道などのパブリックスペース、さらには、広告掲示板の前や自動販売機などの物、機器などに設置してもよい。
【００３２】
図２は、監視サーバ１１の機能ブロック構成図である。なお、図１の監視システムと同じものについては、同じ番号を付しており、詳細な説明は省略する。
【００３３】
監視カメラ２で撮像された映像は、映像データとして監視サーバ１１の受信部１１１で受信される。監視カメラ２は、たとえば、撮像された映像を電気信号に変換する光電変換素子を利用して光から発生した電荷を読み出すものを使用すればよい。この光電変換素子としては、例えば、電荷結合素子（ＣＣＤ）やＣＭＯＳ素子などがある。
【００３４】
受信部１１１で受信された映像データは、監視者用モニタ１３でリアルタイムに表示されるとともに、過去ログデータ格納部１１２に、たとえば時系列に格納される。
【００３５】
さらに、上記映像データから、被監視者の顔を認識する処理を行なう認識部１１４に転送される。
【００３６】
顔の認識処理は、上記映像データから顔のバイオメトリクス情報を利用して顔を検出するものであればよい。
【００３７】
そこで、認識部１１４は、公知の技術、たとえば、予め３Ｄ技術によって、あらゆる角度の顔データを蓄積させておいて、顔の向きに関わらず認識ができるようにするもの、顔の映像を細分化し、細分化したパーツごとの照合により認識ができるようにするもの、などであればよい。
【００３８】
認識部１１４で映像データから顔が認識されると、顔データを照合部１１４に転送し、認識情報データベースサーバ１２に蓄積されている顔データの中から一致する顔データがあるか否かの照合を行なう。
【００３９】
照合部１１５の一致または不一致の照合結果に基づいて、判定部１１６で当該被監視者の監視度を演算する。
【００４０】
この監視度の演算条件によって、被監視者の監視度レベルが決定される。この監視度レベルを決定する演算条件は、監視カメラ２の設置環境、監視者の要求等に応じて、入力装置１４から任意に変更することができる。
【００４１】
たとえば、照合部１１５で認識された顔データが、認識情報データベースサーバ１２に蓄積されている顔データと一致するデータがある場合には、監視度レベルを低く判定し、蓄積されている顔データと一致するデータがない場合には、監視度レベルを高く判定するようにしてもよい。
【００４２】
また、前記認識された顔データが、前記蓄積されている顔データと一致するデータがない場合には、監視度レベルを低く設定し、前記認識された顔データが、前記蓄積されている顔データと一致するデータがある場合には、予め設定した回数を閾値として、過去にこの顔データが撮像された回数がこの閾値以上になった場合には、監視度を高く判定するように構成してもよい。
【００４３】
判定部１１６により、監視度レベルが決定されると、映像加工処理部１１７で、監視度レベルに応じた加工の種類を選択し、選択された種類の加工方法によって前記撮像された映像を加工処理する。
【００４４】
加工処理された映像を配信映像生成部１１８で配信用に生成し、配信部１１９から被監視者用モニタ３に配信される。
【００４５】
ところで、被監視者用モニタ３は、ワークスペース、パブリックスペース、ホテル、大型ビル内のエントランスなどに設置され、各種情報配信や娯楽性の高い映像など、各種コンテンツを表示する既存のものを利用してもよい。
【００４６】
この場合、監視サーバ１１は、コンテンツ処理部１１３から、コンテンツ映像を配信映像生成部１１８に転送し、前記加工映像と合成等の処理をして、配信部１１９から被監視者用モニタ３に配信すればよい。上述のように、被監視者用モニタ３として、マルチモニタ、マルチ画面対応のものを使用した場合は、一部のモニタ、または一部の画面に前記加工画像を表示し、他方のモニタ、または残部の画面にコンテンツ映像を表示するようにしてもよい。
【００４７】
なお、被監視者から、能動的に所望のコンテンツを切り替えることができるように、被監視者用モニタ３にコンテンツ切換操作部を設けてもよい（図示せず）。
【００４８】
このように、被監視者の興趣をそそる構成にすれば、監視カメラ２を設置した近傍を通過する多くの被監視者の映像を被監視者に対して強制することなく撮像することが可能になるため、セキュリティ精度を向上させるということと、被監視者に対して無差別に監視状態であることを認識させ、違和感、嫌悪感を感じさせるという不都合を排除するという背反する要請を両立させることができる。
【００４９】
上記コンテンツ映像は、監視サーバ１１内に記憶させたものでもよいが、インターネット網、ＬＡＮ網、有線放送網等外部ネットワーク網Ｎを介して受信するコンテンツ映像であってもよい。
【００５０】
被監視者が、被監視者モニタ３の前で前記コンテンツ切換操作部を操作する場合、コンテンツ切換操作部の設置位置にもよるが、比較的被監視者モニタ３の正面を向く可能性が高いため、監視カメラ２で撮像するポジションとしては、比較的良好である。そこで、被監視者による前記コンテンツ切換操作部の操作を認識部１１４の起動のトリガにしてもよい。
【００５１】
また、監視サーバ１１は、起動と同時に、認識部１１４で被監視者の顔を認識しない状態のときは、配信映像生成部１１８で生成した待ち受け映像を被監視者用モニタ３に配信するようにしてもよい。
【００５２】
図３は、顔認識された映像の判定及び映像加工処理のフロー図を示したものである。使用する機器、機能については、図１、図２で示したものをそのまま利用して説明する。図３（ａ）は、原則として特定の許可された者のみエントリーできる建物等において、これら許可された者の顔データを予め登録し、この登録データとのマッチングによって監視度を決定する方法によるものである。従って、監視カメラ２の設置場所は、この特定の者のみ通過する場所に設置されること、前記許可された者の顔データを予め登録し、蓄積することが前提条件となる。
【００５３】
一方、図３（ｂ）は、例えばパブリックスペースなど、監視カメラ２の設置場所が、不特定の者が通過する場所である場合、通過する回数（頻度）を計数し、計数値によって監視度を決定する方法によるものである。従って、監視カメラ２の設置場所は、この不特定の者が通過する場所に設置されること、被監視者用モニタを閲覧した者の顔データと閲覧した回数とを対応させたデータを登録して蓄積することが前提条件となる。
【００５４】
以下、まず、図３（ａ）の登録データとのマッチング型の方法について説明する。
【００５５】
監視サーバ１１が、監視カメラ２で撮像された撮像画像データを受信すると（Ｓ１）、認識部１１４で顔認識処理を行なう（Ｓ２）。次に、顔認識処理された顔データと、認識情報データベースサーバ１２に登録された顔データとが一致するか否か、照合処理を行なう（Ｓ３）。
【００５６】
前記照合処理で、認識情報データベースサーバ１２に一致する顔データがあると判断し（Ｓ４）、さらに、過去に高監視度レベルまたは中監視度レベルの監視を必要とする履歴がないと判断した場合（Ｓ４１）、低監視度レベルと判断し（Ｓ４２）、通常のエフェクト加工処理を選択する（Ｓ４３）。
【００５７】
前記照合処理で、認識情報データベースサーバ１２に一致する顔データがあると判断し（Ｓ４）、過去に監視を必要とする履歴があり、過去の履歴から中監視度レベルと高監視度レベルのいずれが該当するかを判定し（Ｓ４４）、中監視度レベルと判定した場合は（Ｓ４５）、間接的に被監視者に対して圧迫感を与えるような加工処理を選択する（Ｓ４６）。一方、Ｓ４４で高監視度レベルと判定した場合は（Ｓ４７）、直接的に被監視者に対して圧迫感を与えるような加工処理を選択する（Ｓ４８）。
【００５８】
前記照合処理で、認識情報データベースサーバ１２に一致する顔データがないと判断した場合（Ｓ４）、レベルは高監視度レベルと判定され（Ｓ４７）、直接的に被監視者に対して圧迫感を与えるような加工処理を選択する（Ｓ４８）。
【００５９】
Ｓ４３、Ｓ４６、Ｓ４８で選択された加工処理に基づいて各々映像加工処理を行なう（Ｓ５）。
【００６０】
次に、以下、図３（ｂ）の閲覧頻度計数型の方法について説明する。
Ｓ１からＳ４までの処理は、図３（ａ）と同じなので、説明は省略する。ただし、上述の通り、Ｓ３の認識情報データベースサーバ１２に蓄積されている顔データは、閲覧回数データが対応付けられている。
【００６１】
前記照合処理で、認識情報データベースサーバ１２に一致する顔データがないと判断した場合（Ｓ４）、認識情報データベースサーバ１２に顔データを登録するとともに、閲覧回数として１を登録する（Ｓ’４０）。この場合、低監視度レベルと判定し（Ｓ’４１）、通常のエフェクト加工処理を選択する（Ｓ’４２）。
【００６２】
前記照合処理で、認識情報データベースサーバ１２に一致する顔データがあると判断した場合（Ｓ４）、まず、閲覧した回数として加算し（Ｓ’４３）、この加算後の閲覧した回数が予め設定した所定の回数を第１閾値として、この第１閾値未満と判断した場合は（Ｓ’４４）、低監視度レベルと判定し（Ｓ’４１）、通常のエフェクト映像処理を選択する（Ｓ’４２）。
【００６３】
前記加算後の閲覧した回数が第１閾値以上であると判断した場合（Ｓ’４４）、さらに、予め設定した第１閾値以上の所定の回数を第２閾値として、この第２閾値未満と判断した場合は（Ｓ’４５）、中監視度レベルと判定し（Ｓ４６）、間接的に被監視者に対して圧迫感を与えるような加工処理を選択する（Ｓ’４７）。
【００６４】
閲覧した回数がこの第２閾値以上と判断した場合は（Ｓ’４５）、高監視度レベルと判定し（Ｓ’４８）、直接的に被監視者に対して圧迫感を与えるような加工処理を選択する（Ｓ’４９）。
【００６５】
Ｓ’４２、Ｓ’４７、Ｓ’４９で選択された加工処理に基づいて各々映像加工処理を行なう（Ｓ５）。
【００６６】
なお、本実施の形態では、監視度のレベルを低監視度、中監視度、高監視度の３段階に分けたが、これに限定する趣旨ではなく、低監視度と高監視度の２段階にしてもよく、また、前記３段階以上に細分化してもよい。
【００６７】
また、図３（ｂ）の閲覧頻度計数型は、閲覧した間の期間、または時間の長短も計測し、時間の長短によって点数化して、監視度レベルを判断する要素にしてもよい。
【００６８】
図４は、加工処理された映像の例を示したものである。（ａ）は、低監視度レベルの加工処理映像例、（ｂ）は、中監視度レベルの加工処理映像例、（ｃ）は、高監視度レベルの加工処理映像例である。いずれも、来訪者（被監視者）が、電話をかけている映像である。
【００６９】
（ａ）では、被監視者用モニタの画面を４分割し、各々分割画面に、実映像Ｉ１と、左右反転の映像Ｉ２、白黒反転映像Ｉ３、ぼかし映像Ｉ４を表示したものである。実映像Ｉ１に対して３つのバリエーションで加工映像を表示することにより、被監視者の興趣を引く効果が期待できる。また、エンターテインメント性を重視した単なる加工映像の表示という印象を与えるため、被監視者にとっては、監視されているという印象を与えない。
【００７０】
本実施の形態で示した加工映像は、一例に過ぎず、上記趣旨に合致する加工処理であれば、（ａ）に限定されるものでない。例えば、変色加工、フィルター加工、同一画像の複数配置などでもよい。
【００７１】
（ｂ）では、被監視者用モニタの画面を３分割し、電話をかけるまでの動作を時系列に表示したものである。Ｉ５は、電話番号を確認する動作、Ｉ６は、受話器を持つ動作、Ｉ７は、受話器を耳元にかざす動作を示してる。
【００７２】
このような映像表示とすることにより、一方で、エンターテインメント性のある映像が表示されているという印象を与え、他方で、リアルタイムで逐一動作が監視されていることを間接的に被監視者に伝達する効果を与えることができる。
【００７３】
この中監視度レベルの加工映像としては、他に、所定のタイミングで、周辺の警備されている映像を順次表示し、間接的に随所で警備体制が整備されていることを示すようにしてもよい。
【００７４】
（ｃ）では、画面には、映像としては実映像のみを表示し、あわせて、当該被監視者の訪問回数及び訪問履歴データＩ８を表示するようにしたものである。
【００７５】
このような映像表示とすることにより、自分の過去データが記録されていることを見ることになるため、高監視度レベルの被監視者に対しては、強度の牽制力を有する。
（ｃ）では、訪問回数及び訪問履歴データを表示したが、これに限定する趣旨ではなく、強度の牽制力を有する表示であれば他の表示に変更し、または他の表示を追加してもよい。さらに、映像表示のほか、音声を追加してもよい。
【００７６】
なお、図６では、いずれも被監視者用モニタに被監視者の映像のみを表示した例を示したが、マルチ画面の一部に、例えば、公告映像、ニュース映像、会社案内映像などを表示させてもよい。
【図面の簡単な説明】
【００７７】
【図１】本発明にかかる監視システムのハードウェア構成図
【図２】監視サーバの機能ブロック構成図
【図３】（ａ）登録データとのマッチング型の判定及び映像加工処理フロー図、（ｂ）閲覧頻度計数型の判定及び映像加工処理フロー図
【図４】（ａ）低監視度レベルの加工処理映像例、（ｂ）中監視度レベルの加工処理映像例、（ｃ）高監視度レベルの加工処理映像例
【符号の説明】
【００７８】
１    監視サーバシステム
２    監視カメラ
３    被監視者用モニタ
１１  監視サーバ
１２  認識情報データベースサーバ
１３  監視者用モニタ
１４  入力装置
【図１】
2009027519.tif 000003
【図２】
2009027519.tif 000004
【図３】
2009027519.tif 000005
【図４】
2009027519.tif 000006